【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
番組コンテンツ配信サービスによって送信されるコンテンツを受信しようとする動機を提供する方法であって、
複数の固有の識別子を決定するステップと、
コンテンツと前記固有の識別子の選択された１つとを番組コンテンツ配信サービスによって送信することで、前記選択された固有の識別子を前記コンテンツと共に前記番組コンテンツ配信サービスの受信者に表示するステップと、
前記受信者の１人からのリクエストに応じて前記１人の受信者が持っている識別子が前記選択された固有の識別子と一致するかどうかを判定し、肯定判定に応じて前記１人の受信者に見返りを分配するステップと、を含む方法。
【請求項２】
コンテンツを送信する前記ステップが、番組コンテンツを送信し当該番組コンテンツの小休止中にプロモーション素材の１つまたはそれより多くの事例を送信するステップを含み、
前記選択された固有の識別子が前記番組コンテンツの少なくとも１回の小休止中に送信される、請求項１記載の方法。
【請求項３】
プロモーション素材の事例のシーケンスの最中に一連の固有の識別子を表示するステップを含む、請求項２に記載の方法。
【請求項４】
コンテンツを送信する前記ステップが、番組コンテンツを送信するステップを含み、
前記選択された固有の識別子が前記番組コンテンツと共に送信される、請求項１記載の方法。
【請求項５】
前記固有の識別子それぞれが複数の固有でないエレメントからなる、請求項１乃至４のいずれかに記載の方法であって、
前記固有でないエレメントから選択された１つまたはそれより多くのエレメントを送信するステップを複数回と、
前記番組コンテンツ配信サービスの受信者の１人からのリクエストに応じて、前記１人の受信者が持っている固有の識別子が前記選択された固有でないエレメントを所定数だけ含むかどうかを判定し、肯定判定に応じて前記１人の受信者に見返りを分配するステップと、を含む方法。
【請求項６】
コンテンツを受信しようとする動機を提供する方法であって、
それぞれが複数の固有でないエレメントからなる複数の固有の識別子を決定するステップと、
コンテンツと少なくとも１つの選択された固有でないエレメントを番組コンテンツ配信サービスによって送信することによって、前記少なくとも１つの選択された固有でないエレメントが前記コンテンツと共に番組コンテンツ配信サービスの受信者に表示されるステップと、
前記受信者の１人からのリクエストに応じて、前記１人の受信者が持っている固有の識別子が前記少なくとも１つの選択された固有でないエレメントを所定数だけ含んでいるかどうかを判定し、肯定判定に応じて前記１人の受信者に見返りを分配するステップと、を含む方法。
【請求項７】
コンテンツを送信する前記ステップが、番組コンテンツを送信し当該番組コンテンツの小休止中にプロモーション素材の１つまたはそれより多くの事例を送信するステップを含み、
少なくとも１つの選択された固有でないエレメントを送信する前記ステップが、前記番組コンテンツの少なくとも１回の小休止中に少なくとも１つの選択された固有でないエレメントを送信するステップを１回またはそれより多く含む、請求項５または６記載の方法。
【請求項８】
固有の識別子のセットを決定する前記ステップが、固有の識別子のセットを生成するステップを含む、請求項１乃至７のいずれかに記載の方法。
【請求項９】
固有の識別子のセットを決定する前記ステップが、データソースから既存の固有の識別子を獲得するステップを含む、請求項１乃至７のいずれかに記載の方法。
【請求項１０】
前記固有の識別子を前記番組コンテンツ配信サービスの潜在的な受信者に配布するステップを含む、請求項１乃至８のいずれかに記載の方法であって、
前記固有の識別子を配布する前記ステップが、
受信者からの解答を要する情報を送信するステップと、
前記情報に対する受信者からの解答を受信し検証するステップと、
解答を検証した場合に前記受信者に前記固有の識別子の１つを送信するステップと、を含む、方法。
【請求項１１】
プロモーション素材のさらなる事例と共にさらなる情報を送信するステップと、
前記さらなる情報に対する解答を前記番組コンテンツ配信サービスの視聴者から受け取るステップと、
前記解答の１つを選択し、前記選択された解答が受信された受信者に関する視聴者情報を、前記受信者が持っている識別子に基づいて獲得するステップと、
前記視聴者情報を使用して、前記受信者に見返りを分配するステップと、を含む請求項１乃至１０のいずれかに記載の方法。
【請求項１２】
プロモーション素材のさらなる事例と共にさらなる情報を送信するステップと、
前記さらなる情報に対する解答を前記番組コンテンツ配信サービスの受信者から受け取るステップと、
前記解答の１つが受信された受信者にコードを割り当てるステップと、
前記コードの１つを選択するステップと、
前記選択されたコードをプロモーション素材のさらなる事例と共に送信するステップと、
前記番組コンテンツ配信サービスの受信者からのリクエストに応じて、前記受信者が持っているコードが前記選択されたコードと一致するかどうかを判定し、前記受信者が持っている識別子に基づいて前記受信者に関する受信者情報を獲得し、前記受信者情報を使用して前記受信者に見返りを分配するステップと、を含む請求項１乃至１０のいずれかに記載の方法。
【請求項１３】
コンテンツを受信しようとする動機を提供するシステムであって、
複数の固有の識別子を保存するデータベースと、
番組コンテンツ配信サービスによって表示するために前記データベースから前記固有の識別子の１つを選択するプロセッサと、
前記受信者の１人からリクエストを受け取り、前記１人の受信者が持っている識別子が前記選択された固有の識別子に一致するかどうかを判定し、肯定判定に応じて前記１人の受信者に見返りを分配するリクエスト受付サービスと、を含むシステム。
【請求項１４】
コンテンツを受信しようとする動機を提供するシステムであって、
複数の固有でないエレメントからなる複数の固有の識別子を保存するデータベースと、
番組コンテンツ配信サービスによって表示するために前記固有でないエレメントの１つまたはそれより多くを選択するプロセッサと、
前記受信者の１人からリクエストを受け取り、前記１人の受信者が持っている識別子が前記１つまたはそれより多くの選択された固有でないエレメントを所定数だけ含むかどうかを判定し、肯定判定に応じて前記１人の受信者に見返りを分配するリクエスト受付サービスと、を含むシステム。
【請求項１５】
前記プロセッサが前記複数の固有の識別子を生成するように構成される、請求項１３または１４のいずれかに記載のシステム。
【請求項１６】
番組コンテンツ配信サービスの受信者が見返り獲得の資格があるかどうかを判定する方法であって、
前記受信者が持っている第１の固有の識別子の表示を受け取るステップと、
番組コンテンツ配信システムによって送信されたコンテンツと共に表示された第２の固有の識別子の表示を獲得するステップと、
前記第１の固有の識別子が第２の固有の識別子と一致するかどうかを判定し、肯定判定に応じて見返り獲得の資格があることを前記受信者に通知するステップと、を含む方法。
【請求項１７】
番組コンテンツ配信サービスの受信者が見返り獲得の資格があるかどうかを判定する方法であって、
前記受信者が持っている固有の識別子の表示を受け取るステップと、
番組コンテンツ配信システムによって送信されたコンテンツと共に表示された１つまたはそれより多くの固有でないエレメントの表示を獲得するステップと、
前記固有の識別子が前記１つまたはそれより多くの固有でないエレメントを所定数だけ含むかどうかを判定し、肯定判定に応じて見返り獲得資格があることを前記受信者に通知するステップと、を含む方法。